(57)【要約】【課題】感知器から容易に取り外すことができる感知器用防塵カバーを実現する。【解決手段】感知器１の表面の凹部（開口３ａ）に係合して感知器用防塵カバー１００を感知器１に係着させる凸部１３と、感知器１の表面から離間するように隆起した隆起部１４とを備え、その隆起部１４が感知器１に向けて押し込まれて当該感知器用防塵カバー１００の一部が弾性変形することで、凹部から凸部１３が外れて係着解除されるように構成されている感知器用防塵カバー１００であれば、隆起部１４を感知器１に向けてワンプッシュすることで、感知器用防塵カバー１００を感知器１から容易に取り外すことができる。【選択図】図１
2018063460.tif 000002
【特許請求の範囲】
【請求項１】
所定の設置面に凸設された感知器の外形に対応した形状を有し、前記感知器を覆い隠すように取り付けられる感知器用防塵カバーであって、
前記感知器の表面の凹部に係合して、当該感知器用防塵カバーを前記感知器に係着させる凸部と、
前記感知器の表面から離間するように隆起した隆起部と、を備え、
前記隆起部が前記感知器に向けて押し込まれて当該感知器用防塵カバーの一部が弾性変形することで、前記凹部から前記凸部が外れて係着解除されるように構成されていることを特徴とする感知器用防塵カバー。
【請求項２】
当該感知器用防塵カバーの縁よりも内側には２本の切り込み部が略平行に形成され、その２本の切り込み部に挟まれている帯状部が設けられており、
前記帯状部の長手方向両側にそれぞれ前記凸部が設けられ、その一対の凸部の間に前記隆起部が設けられていることを特徴とする請求項１に記載の感知器用防塵カバー。
【請求項３】
前記隆起部が前記感知器に向けて押し込まれて前記帯状部が弾性変形することに伴い、前記凹部から前記凸部が外れ、その弾性変形した帯状部が復元する作用で当該感知器用防塵カバーが前記感知器から浮き上がるように構成されていることを特徴とする請求項２に記載の感知器用防塵カバー。
【請求項４】
前記隆起部が前記感知器に向けて押し込まれた際、前記帯状部が選択的に弾性変形するように、前記帯状部の両側の防塵カバーの立体形状を保持する補強構造部が設けられていることを特徴とする請求項２又は３に記載の感知器用防塵カバー。
【発明の詳細な説明】
【技術分野】
【０００１】
本発明は、内装工事などの作業中に発生する粉塵から感知器を保護するための感知器用防塵カバーに関する。
【背景技術】
【０００２】
従来、内装工事などの作業中に発生する粉塵が感知器内に侵入しないように、内装工事が完了するまで感知器を覆うように取り付けておく防塵カバーが知られている（例えば、特許文献１参照。）。
この防塵カバーは、感知器の側面に形成された複数の煙流入口を略密閉状に覆って埃や塵の侵入を防止する凹状部と、凹状部の内面に形成された複数の係合突起などを備えており、その係合突起により係合させて、防塵カバーを感知器に係着可能にしている。
【先行技術文献】
【特許文献】
【０００３】
【特許文献１】特開平６−３１４３８６号公報
【発明の概要】
【発明が解決しようとする課題】
【０００４】
ところで、上記特許文献１では防塵カバーを取り外す場合、防塵カバーに形成されている切欠や溝に係合可能な係合部を備えた取り外し治具を使うようになっている。具体的には、取り外し治具の係合部を所定の切欠や溝に嵌め込んだ状態で、その取り外し治具を回転させるようにして、防塵カバーを取り外すようになっている。
そのため、取り外し治具が手元にない場合や、高所の場合は特に作業性が悪く、防塵カバーを取り外す作業が困難になってしまうことがある問題があった。
【０００５】
本発明の目的は、感知器から容易に取り外すことができる感知器用防塵カバーを提供することである。
【課題を解決するための手段】
【０００６】
以上の課題を解決するため、請求項１に記載の発明は、
所定の設置面に凸設された感知器の外形に対応した形状を有し、前記感知器を覆い隠すように取り付けられる感知器用防塵カバーであって、
前記感知器の表面の凹部に係合して、当該感知器用防塵カバーを前記感知器に係着させる凸部と、
前記感知器の表面から離間するように隆起した隆起部と、を備え、
前記隆起部が前記感知器に向けて押し込まれて当該感知器用防塵カバーの一部が弾性変形することで、前記凹部から前記凸部が外れて係着解除されるように構成されていることを特徴とする。
【０００７】
上記構成の感知器用防塵カバーであれば、隆起部を感知器に向けてワンプッシュするように押し込めば、感知器表面の凹部から凸部が外れて感知器との係着が解除されるので、感知器用防塵カバーを感知器から容易に取り外すことができる。
【０００８】
請求項２に記載の発明は、請求項１に記載の感知器用防塵カバーにおいて、
当該感知器用防塵カバーの縁よりも内側には２本の切り込み部が略平行に形成され、その２本の切り込み部に挟まれている帯状部が設けられており、
前記帯状部の長手方向両側にそれぞれ前記凸部が設けられ、その一対の凸部の間に前記隆起部が設けられていることを特徴とする。
【０００９】
上記構成によれば、感知器用防塵カバーの一部である帯状部は弾性変形し易くなっており、隆起部を感知器に向けて押し込むことで凸部が感知器の凹部から容易に外れるので、その感知器用防塵カバーの取り外しが容易になる。
【００１０】
請求項３に記載の発明は、請求項２に記載の感知器用防塵カバーにおいて、
前記隆起部が前記感知器に向けて押し込まれて前記帯状部が弾性変形することに伴い、前記凹部から前記凸部が外れ、その弾性変形した帯状部が復元する作用で当該感知器用防塵カバーが前記感知器から浮き上がるように構成されていることを特徴とする。
【００１１】
上記構成によれば、感知器用防塵カバーの取り外しがより容易になる。
【００１２】
請求項４に記載の発明は、請求項２又は３に記載の感知器用防塵カバーにおいて、
前記隆起部が前記感知器に向けて押し込まれた際、前記帯状部が選択的に弾性変形するように、前記帯状部の両側の防塵カバーの立体形状を保持する補強構造部が設けられていることを特徴とする。
【００１３】
上記構成によれば、隆起部を感知器に向けて押し込んで帯状部を好適に弾性変形させて、凸部を感知器の凹部から良好に外すことができる。
【発明の効果】
【００１４】
本発明によれば、感知器に確実に係着し、かつ容易に取り外すことができる感知器用防塵カバーが得られる。
【図面の簡単な説明】
【００１５】
【図１】実施形態１の感知器用防塵カバーと、天井に凸設された感知器を示す斜視図である。
【図２】実施形態１の感知器用防塵カバーを感知器から取り外す手順を断面視して示す説明図（ａ）（ｂ）（ｃ）である。
【図３】実施形態２の感知器用防塵カバーを示す斜視図である。
【図４】実施形態２の感知器用防塵カバーを感知器から取り外す手順を断面視して示す説明図（ａ）（ｂ）（ｃ）（ｄ）である。
【図５】感知器用防塵カバーの変形例を示す斜視図（ａ）（ｂ）である。
【発明を実施するための形態】
【００１６】
以下、図面を参照して、本発明に係る感知器用防塵カバーの実施形態について詳細に説明する。但し、以下に述べる実施形態には、本発明を実施するために技術的に好ましい種々の限定が付されているが、本発明の範囲を以下の実施形態及び図示例に限定するものではない。
【００１７】
自動火災報知システムが導入されている建物には、煙や熱や炎を感知する感知器が天井や側壁などに設置されている。
感知器用防塵カバー１００は、内装工事などの作業中に発生する粉塵から感知器１を保護するために、その感知器１を覆い隠すように取り付けて使用し、作業完了後に感知器１から取り外すものである。
本実施形態では、煙を感知するために所定の設置面である天井に凸設された感知器１に取り付けて使用する感知器用防塵カバー１００について説明する。
【００１８】
（実施形態１）
図１に示すように、感知器１は天井に凸設されており、天井面に露出した略円板状の本体部２と、本体部２の中央側から下方に突き出た略円柱状のヘッド部３とを有している。
ヘッド部３の側面には、感知器１の内部に煙を流入させるための開口３ａが形成されている。本実施形態では、ヘッド部３の側面に４つの開口３ａが周方向に等間隔で形成されている。
この開口３ａは、感知器用防塵カバー１００を感知器１に取り付けるための凹部として機能する。
【００１９】
感知器用防塵カバー１００は、図１に示すように、ヘッド部３を覆う椀状部１０と、本体部２を覆う鍔状部２０とを有するカバー部材であり、感知器１の外形に対応した形状を有している。
また、感知器用防塵カバー１００には、椀状部１０の立体形状を保持するために形成された補強構造部３０が設けられている。
この感知器用防塵カバー１００は、図２（ａ）に示すように、断面視略ハット形を呈する樹脂材料の成形品であり、可撓性を有している。なお、感知器用防塵カバー１００が例えば３ｇ〜５ｇの軽量になるように、その厚みは薄く成形されている。
【００２０】
また、感知器用防塵カバー１００の縁よりも内側には、感知器用防塵カバー１００の一部分がカットされてなる２本の切り込み部１１が略平行に形成されており、その２本の切り込み部１１に挟まれた箇所に帯状部１２が設けられている。
本実施形態１では、切り込み部１１の端部が椀状部１０と鍔状部２０の境界に位置するように、椀状部１０に２本の切り込み部１１が形成されている。
つまり、帯状部１２は、椀状部１０に設けられている。
【００２１】
帯状部１２の長手方向両側であって、椀状部１０の側面に相当する位置には、感知器用防塵カバー１００の内面に突出した凸部１３が設けられている。
この凸部１３は、感知器１の表面の凹部である開口３ａに係合して、感知器用防塵カバー１０を感知器１に係着させるために設けられている。
そして、感知器用防塵カバー１００を感知器１に係着させ、椀状部１０でヘッド部３を覆うように開口３ａを塞ぐことによって、開口３ａから感知器１内に粉塵を侵入させないようにすることができる。
【００２２】
また、帯状部１２における一対の凸部１３の間に、感知器１の表面から離間するように隆起したアーチ状の隆起部１４が設けられている。
隆起部１４は、樹脂材料で成形した感知器用防塵カバー１００に２本の切り込み部１１を形成する際に、カバーの一部（具体的には、帯状部１２の幅方向側面部分）を切り落とすようにして形成されている。
この隆起部１４を感知器１に向けて押し込むと、感知器用防塵カバー１００の一部（ここでは帯状部１２）が弾性変形するようになっている。
隆起部１４は、後述するように、感知器１から感知器用防塵カバー１００を取り外すために設けられている。
【００２３】
補強構造部３０は、隆起部１４が感知器１に向けて押し込まれた際、帯状部１２が選択的に弾性変形するように、椀状部１０の立体形状を保持するために形成されている。
隆起部１４が押し込まれて帯状部１２が好適に弾性変形すれば、凸部１３を開口３ａから好適に外すことができる。
【００２４】
次に、本実施形態１の感知器用防塵カバー１００を感知器１から取り外す手順について説明する。
【００２５】
感知器用防塵カバー１００は、図２（ａ）に示すように、凸部１３が感知器１の開口３ａに係合した状態で、天井に設置された感知器１を覆うように取り付けられている。
この感知器用防塵カバー１００は、建物の施工現場で感知器１が天井に設置された後、速やかに取り付けられることが好ましい。
また、感知器用防塵カバー１００が感知器１に取り付けられた状態で施工現場に搬入される場合、感知器用防塵カバー１００が装着された感知器１を天井に設置するようにしてもよい。なお、工場出荷時、感知器１に感知器用防塵カバー１００を取り付けて梱包することで、梱包箱内の紙塵が感知器１内に侵入しないようにガードできる。
【００２６】
そして、所定の施工作業の完了後に感知器１から感知器用防塵カバー１００を取り外す際、隆起部１４を感知器１に向けて押し込む。
図２（ｂ）に示すように、隆起部１４が感知器１に向けて押し込まれると、帯状部１２が弾性変形して撓むことで、開口３ａから凸部１３が外れて感知器用防塵カバー１００の係着が解除される。
こうして感知器１との係着が解除された感知器用防塵カバー１００は、図２（ｃ）に示すように、天井の感知器１から自重で離脱するので、その取り外し作業を容易に行うことができる。
なお、感知器用防塵カバー１００は、３ｇ〜５ｇ程度の軽量な樹脂製の部材であるので、天井から落下させるように取り外すことが可能になっている。
【００２７】
このように、実施形態１の感知器用防塵カバー１００は、隆起部１４を感知器１に向けてワンプッシュすれば、開口３ａから凸部１３が外れて感知器１との係着が解除されるので、感知器１から容易に取り外すことができる。
つまり、従来技術の防塵カバーのように、取り外し作業に用いる専用の治具がなくても、この感知器用防塵カバー１００であれば感知器１から容易に取り外すことができる。
特に、隆起部１４を感知器１に向けて押し込む単純な作業で、感知器１から感知器用防塵カバー１００を取り外すことができるので、例えば、脚立などの踏台がない場合でも、天井に届く程度の棒状部材を作業者が使って隆起部１４をワンプッシュするようにすれば、感知器用防塵カバー１００を感知器１から容易に取り外すことができる。
【００２８】
（実施形態２）
次に、本発明に係る感知器用防塵カバーの実施形態２について説明する。なお、実施形態１と同一部分には同符号を付し、異なる部分についてのみ説明する。
【００２９】
実施形態１の感知器用防塵カバー１００では、切り込み部１１の端部が椀状部１０と鍔状部２０の境界に位置しているが、実施形態２の感知器用防塵カバー１００では、図３に示すように、切り込み部１１を形成するカットは鍔状部２０に達しており、切り込み部１１の端部は椀状部１０と鍔状部２０の境界よりも感知器用防塵カバー１００の縁寄りの位置にある。
具体的に、本実施形態２での切り込み部１１の端部は、椀状部１０と鍔状部２０の境界と、感知器用防塵カバー１００の縁のほぼ中間に位置している。
そして、実施形態２の感知器用防塵カバー１００の帯状部１２は、その中央部分が椀状部１０にあって、長手方向の両側が鍔状部２０にあるように設けられている。
【００３０】
次に、本実施形態２の感知器用防塵カバー１００を感知器１から取り外す手順について説明する。
感知器用防塵カバー１００は、図４（ａ）に示すように、凸部１３が感知器１の開口３ａに係合した状態で、天井に設置された感知器１を覆うように取り付けられている。
【００３１】
そして、所定の施工作業の完了後に感知器１から感知器用防塵カバー１００を取り外す際、隆起部１４を感知器１に向けて押し込む。
図４（ｂ）に示すように、隆起部１４が感知器１に向けて押し込まれると、帯状部１２が弾性変形して撓むことで、開口３ａから凸部１３が外れて感知器用防塵カバー１００の係着が解除される。
【００３２】
またこのとき、図４（ｂ）に示すように、帯状部１２の長手方向の両端側が、感知器１（鍔状部２０）から離間するように弾性変形している。
そして、図４（ｃ）に示すように、この弾性変形した帯状部１２が反り返る作用で、鍔状部２０が帯状部１２側に引き寄せられるようにして、感知器用防塵カバー１００が感知器１から浮き上がる。
こうして感知器１との係着が解除され、感知器１から浮き上がった感知器用防塵カバー１００は、図４（ｄ）に示すように、天井の感知器１から自重で離脱するので、その取り外し作業を容易に行うことができる。
【００３３】
このように、実施形態２の感知器用防塵カバー１００は、隆起部１４を感知器１に向けて押し込んで帯状部１２を弾性変形させれば、開口３ａから凸部１３が外れて感知器１との係着が解除され、また、その弾性変形した帯状部１２が復元する作用で感知器用防塵カバー１００が感知器１から浮き上がるので、感知器用防塵カバー１００を感知器１から容易に取り外すことができる。
つまり、感知器用防塵カバー１００の隆起部１４をワンプッシュするようにすれば、感知器用防塵カバー１００を感知器１から容易に取り外すことができる。
【００３４】
なお、本発明は上記実施形態に限られるものではない。
例えば、図５（ａ）に示すように、感知器用防塵カバー１００の鍔状部２０に曲率の異なる２本の円弧状の切り込み部を並べて形成しておき、その２本の切り込み部に挟まれた部分に相当する把手部１５を引き起こした状態にして、その感知器用防塵カバー１００を感知器１に取り付けるようにしてもよい。
また、図５（ｂ）に示すように、感知器用防塵カバー１００の椀状部１０の平面部に曲率の異なる２本の円弧状の切り込み部を並べて形成しておき、その２本の切り込み部に挟まれた部分に相当する把手部１５を引き起こした状態にして、その感知器用防塵カバー１００を感知器１に取り付けるようにしてもよい。
なお、図５（ａ）（ｂ）に示す感知器用防塵カバー１００の椀状部１０の側面部には、ヘッド部３の側面に形成されている４つの開口３ａに対応させて、４つの凸部１３が設けられている。
【００３５】
このようなアーチ状の把手部１５を備えた感知器用防塵カバー１００であれば、把手部１５を掴んで下方に引き下ろすようにすれば、感知器１から感知器用防塵カバー１００を容易に取り外すことができる。
また例えば、脚立などの踏台がない場合でも、天井に届く程度の棒状部材を作業者が使い、その棒状部材の先端側を把手部１５に引っ掛けて引き下ろすようにすれば、感知器１から感知器用防塵カバー１００を容易に取り外すことができる。この場合、棒状部材の先端側に鉤手状のフック部を設けるようにすれば、より容易に把手部１５を引っ掛けて引き下ろすことが可能になる。
【００３６】
なお、アーチ状の隆起部１４が設けられている感知器用防塵カバー１００の場合も、隆起部１４を掴んだり、隆起部１４に棒状部材の先端側に設けたフック部を引っかけたりして、感知器１から感知器用防塵カバー１００を取り外すようにしてもよい。
【００３７】
以上のように、本実施形態の感知器用防塵カバー１００は、感知器１から容易に取り外すことができる。
【００３８】
なお、以上の実施の形態において、感知器用防塵カバー１００は天井に設置された感知器１を覆うカバーであるとしたが、本発明はこれに限定されるものではなく、側壁に設置された感知器１を覆うカバーであってもよい。
また、感知器用防塵カバー１００で保護する感知器１は、煙感知用であることに限らず、熱感知用の感知器であっても、炎感知用の感知器であってもよい。
【００３９】
また、感知器１の開口３ａに凸部１３を係合させて感知器用防塵カバー１００を感知器１に取り付けることに限らず、感知器１の表面に設けられている溝や窪みなどの凹部に凸部１３を係合させて、感知器１に感知器用防塵カバー１００を取り付けるようにしてもよい。
【００４０】
また、その他、具体的な細部構造等についても適宜に変更可能であることは勿論である。
【符号の説明】
【００４１】
１      感知器
２      本体部
３      ヘッド部
３ａ    開口（凹部）
１０    椀状部
１１    切り込み部
１２    帯状部
１３    凸部
１４    隆起部
１５    把手部
２０    鍔状部
３０    補強構造部
１００  感知器用防塵カバー
【図１】
2018063460.tif 000003
【図２】
2018063460.tif 000004
【図３】
2018063460.tif 000005
【図４】
2018063460.tif 000006
【図５】
2018063460.tif 000007